(57)【要約】 【課題】  作業者の熟練度などによらず、容易かつ適正に架線梯子の揺れを抑制する。【解決手段】  第１のロープ２を架線梯子１００の自由端部１０１側に取り付け、第２のロープ４を鉄塔部材Ｔ１に取り付け、第２のロープ４に固定された位置調節器６を、第１のロープ２のストッパー２１側を引っ張って移動し固定することにより、ロープ２、４に張力を与える。【選択図】  図１
2011109780.tif 000002
【特許請求の範囲】
【請求項１】
架線梯子の基端部が鉄塔に固定された前記架線梯子の自由端部の揺れを抑制する架線梯子固定装置であって、
変形自在な第１のロープと、
前記第１のロープの一端部に設けられ、前記架線梯子の自由端部側に着脱自在に取り付けられる架線梯子保持部と、
変形自在な第２のロープと、
前記第２のロープの一端部に設けられ、前記鉄塔の部材に着脱自在に取り付けられる鉄塔保持部と、
前記第１のロープまたは前記第２のロープの一方に固定され、他方の前記第２のロープまたは前記第１のロープの長手方向に移動自在かつ固定可能な位置調節器と、を備え、
前記位置調節器を前記第２のロープまたは前記第１のロープの長手方向に移動させることで、前記第１のロープおよび前記第２のロープに張力を与えられるようになっている、
ことを特徴とする架線梯子固定装置。
【請求項２】
架線梯子の基端部が鉄塔に固定された前記架線梯子の自由端部の揺れを抑制する架線梯子固定方法であって、
前記架線梯子の自由端部側に、変形自在な第１のロープを取り付け、前記鉄塔の部材に、変形自在な第２のロープを取り付け、
前記第１のロープまたは前記第２のロープの一方に、他方の前記第２のロープまたは前記第１のロープの長手方向に移動自在かつ固定可能な位置調節器を固定し、
前記位置調節器を前記第２のロープまたは前記第１のロープの長手方向に移動させることで、前記第１のロープおよび前記第２のロープに張力を与える、
ことを特徴とする架線梯子固定方法。
【発明の詳細な説明】
【技術分野】
【０００１】
この発明は、架線梯子の基端部が鉄塔に固定された架線梯子の自由端部の揺れを抑制する架線梯子固定装置および架線梯子固定方法に関する。
【背景技術】
【０００２】
例えば、送電線鉄塔に架設されている送電線の点検保守作業を行う際には、作業者の足場を確保するために、架線梯子が使用される。この架線梯子は、基端部が鉄塔部材に取り付けられ、他端部側（自由端部側）が電力線等で支持される。また、架線梯子の取り付け位置や方向は、点検保守作業の対象となる送電線の位置に応じて変えられる。そして、作業者はこの架線梯子上を移動したり、体勢を変えたりしながら、送電線の点検保守作業を行う。このように、作業者が架線梯子上で移動したり、体勢を変えたりするので、架線梯子は揺れやすく、不安定なものとなる。
【０００３】
このような架線梯子上での作業性を向上させるために、架線梯子の有効長を延長する架線梯子用補助アームに関する技術が提案されている（例えば、特許文献１参照。）。この架線梯子用補助アームは、架線梯子に作業者等の荷重がかかることで、架線梯子が支持されている電力線が鉛直下方にたわみ、架線梯子の先端と電力線との間隔が開くことによる作業性の悪化を改善するものである。すなわち、架線梯子の先端を延長し、延長された先端と電力線との距離を近づけることで、架線梯子上での作業性を向上させるものである。
【先行技術文献】
【特許文献】
【０００４】
【特許文献１】特開２００８−１８２７９５号公報
【発明の概要】
【発明が解決しようとする課題】
【０００５】
ところで、従来は、架線梯子の揺れを抑制し安定させるために、ロープの一端部を架線梯子の自由端部に結びつけ、ロープが張った状態を保ちながら、ロープの他端部を鉄塔に結びつけていた。
【０００６】
しかしながら、この方法では、足場が不安定な鉄塔上で、ロープを十分に引っ張りながら鉄塔に強固に結びつけなくてはならなかったため、こうした作業には熟練を要し、作業者によってロープへの張力やロープの締結度に差異が生じてしまっていた。そのため、例えば、ロープの結び方が不適切であった場合には、作業中にロープの結び目がゆるんでしまうおそれがあった。また、架線梯子の取り付け位置や方向を変える場合には、鉄塔に結びつけたロープをほどいて、架線梯子の位置や方向を変え、再度ロープを十分に引っ張りながら強固に結びつける必要があり、多大な時間と労力とを要していた。さらに、いろいろな位置や方向に架線梯子を取り付けることを考慮すると、長尺のロープを用いる必要があるが、長尺のロープを強固に結びつけるのは、作業がしにくく時間も要していた。
【０００７】
そこで、この発明は、前記の課題を解決し、作業者の熟練度などによらず、適正にかつ容易に架線梯子の揺れを抑制することが可能な架線梯子固定装置を提供することを目的としている。
【課題を解決するための手段】
【０００８】
前記の課題を解決するために、請求項１の発明は、架線梯子の基端部が鉄塔に固定された前記架線梯子の自由端部の揺れを抑制する架線梯子固定装置であって、変形自在な第１のロープと、前記第１のロープの一端部に設けられ、前記架線梯子の自由端部側に着脱自在に取り付けられる架線梯子保持部と、変形自在な第２のロープと、前記第２のロープの一端部に設けられ、前記鉄塔の部材に着脱自在に取り付けられる鉄塔保持部と、前記第１のロープまたは前記第２のロープの一方に固定され、他方の前記第２のロープまたは前記第１のロープの長手方向に移動自在かつ固定可能な位置調節器と、を備えたことを特徴とする。
【０００９】
請求項２に記載の発明は、架線梯子の基端部が鉄塔に固定された前記架線梯子の自由端部の揺れを抑制する架線梯子固定方法であって、前記架線梯子の自由端部側に、変形自在な第１のロープを取り付け、前記鉄塔の部材に、変形自在な第２のロープを取り付け、前記第１のロープまたは前記第２のロープの一方に、他方の前記第２のロープまたは前記第１のロープの長手方向に移動自在かつ固定可能な位置調節器を固定し、前記位置調節器を前記第２のロープまたは前記第１のロープの長手方向に移動させることで、前記第１のロープおよび前記第２のロープに張力を与える、ことを特徴とする。
【００１０】
これらの発明によれば、位置調節器を第２のロープまたは前記第１のロープの長手方向に沿って移動させて、これらのロープが張った状態で位置調節器を固定することで、これらのロープに張力が与えられ、架線梯子の自由端部の揺れが抑制される。
【発明の効果】
【００１１】
請求項１および２に記載の発明によれば、位置調節器を第２のロープまたは第１のロープの長手方向に沿って移動させて、固定するだけで、容易に架線梯子の揺れを抑制することができる。つまり、作業者の熟練度などによらず、容易にかつ適正に架線梯子の揺れを抑制できる。
【００１２】
請求項１に記載の発明によれば、架線梯子保持部および鉄塔保持部が、それぞれ架線梯子の自由端および鉄塔部材に着脱自在であるので、頻繁に架線梯子の位置や方向を変える場合であっても、容易に取り外しおよび取り付けができる。
【図面の簡単な説明】
【００１３】
【図１】この発明の実施の形態１に係る架線梯子固定装置で架線梯子を固定した状態を示す斜視図である。
【図２】図１の架線梯子固定装置を示す正面図である。
【図３】この発明の実施の形態２に係る架線梯子固定装置を示す正面図である。
【発明を実施するための形態】
【００１４】
以下、この発明を図示の実施の形態に基づいて説明する。
【００１５】
（実施の形態１）
図１は、この実施の形態に係る架線梯子固定装置１で架線梯子１００を固定した状態を示す斜視図である。ここで、架線梯子１００は、送電線鉄塔に架設されている送電線１１０の点検保守作業などの際に使用される作業員の足場であり、この実施の形態では、架線梯子１００が水平方向に取り付けられる場合について説明する。
【００１６】
架線梯子固定装置１は、架線梯子１００の自由端部１０１の揺れを抑制する装置であり、主として、第１のロープ２と、架線梯子側フック（架線梯子保持部）３１と、第２のロープ４と、鉄塔保持部５と、位置調節器６とを備えている。
【００１７】
第１のロープ２は、素線をよって形成された変形自在なロープであり、その長さは、後述するようにして架線梯子１００を固定でき、かつ、作業がしやすい余長が確保されるように、設定されている。このような第１のロープ２の一端部に、架線梯子側フック３１が取り付けられ、他端部には、後述するような位置調節器６が第１のロープ２から抜けるのを防止するためのストッパー２１が設けられている。
【００１８】
架線梯子側フック３１は、架線梯子１００の自由端部１０１側に着脱自在に取り付けられるフックであり、安全帯に用いられる既存・既製のフックと同等の構成で、フック本体３１ａと外れ止め機構３１ｂと安全機構３１ｃとを備えている。また、架線梯子側フック３１には取付リング３１ｄが設けられ、この取付リング３１ｄが第１のロープ２の一端部に編み込まれることで、架線梯子側フック３１が第１のロープ２に取り付けられている。そして、フック本体３１ａを架線梯子１００の自由端部１０１側に設けられたＤ環１０２に掛けることで、外れ止め機構３１ｂと安全機構３１ｃとがロックし、架線梯子側フック３１が架線梯子１００の自由端部１０１側に取り付けられる。また、外れ止め機構３１ｂと安全機構３１ｃとを内側に押して、フック本体３１ａをＤ環１０２から外すことで、架線梯子側フック３１が架線梯子１００の自由端部１０１側から取り外せるようになっている。
【００１９】
第２のロープ４は、第１のロープ２と同様に、素線をよって形成された変形自在なロープであり、一端部に鉄塔側フック５１が取り付けられている。この鉄塔側フック５１は、架線梯子側フック３１と同等の構成であるため、詳細な説明は省略する。また、第２のロープ４の略中央部には、８字環５２が取り付けられている。この８字環５２は、２つのリングから構成される部材で、一方のリング内に第２のロープ４が挿入された状態で、第２のロープ４に取り付けられている。
【００２０】
このような鉄塔側フック５１と、８字環５２と、鉄塔側フック５１と８字環５２との間に位置する第２のロープ４の保持ロープ部５３とによって、鉄塔保持部５が構成されている。すなわち、保持ロープ部５３を鉄塔部材（鉄塔の腕金主材、主柱材、斜材などの部材）Ｔ１に対向させた状態で、図２の矢印Ｙ１に示すように、保持ロープ部５３の鉄塔側フック５１側をＵ字状に曲げる。そして、保持ロープ部５３で鉄塔部材Ｔ１を巻き込み、鉄塔側フック５１を８字環５２の他方のリングに掛けることで、鉄塔保持部５が鉄塔部材Ｔ１に取り付けられる。また、鉄塔側フック５１を８字環５２から外し、保持ロープ部５３を鉄塔部材Ｔ１から取り除くことで、鉄塔保持部５が鉄塔部材Ｔ１から取り外せるようになっている。
【００２１】
位置調節器６は、第２のロープ４に固定され、第１のロープ２の長手方向に移動自在かつ固定可能なものであり、安全帯に用いられる既存の伸縮調整器と同等の構成となっている。すなわち、第１のロープ２が挿入されたロープ保持部６１と、このロープ保持部６１とリンクによって連結された操作部６２とで構成され、操作部６２を握ると、ロープ保持部６１内のロープ固定片（図示せず）が第１のロープ２から外れ、第１のロープ２がロープ保持部６１内を移動可能となる。つまり、位置調節器６が、第２のロープ４に対して移動可能となる。また、操作部６２の握りを解除すると、ロープ固定片が第１のロープ２を押圧し、第１のロープ２の移動が規制される、つまり位置調節器６が第１のロープ２に固定されるようになっている。このような位置調節器６が、第２のロープ４の他端部に、揺動（首振り）自在に取り付けられている。
【００２２】
次に、このような構成の架線梯子固定装置１の作用および、この実施の形態に係る架線梯子固定方法について説明する。ここで、図１に示すように、架線梯子１００は、その基端部が鉄塔部材Ｔ１に固定され、自由端部１０１側が送電線１１０で支持されているものとする。
【００２３】
まず、架線梯子側フック３１を、架線梯子１００の自由端部１０１側のＤ環１０２に取り付ける。なお、この取付作業は、架線梯子１００を配設する前に、地上で行ってもよい。次に、上記のようにして、保持ロープ部５３で鉄塔部材Ｔ１を巻き込んで、鉄塔側フック５１を８字環５２に掛けることで、鉄塔保持部５を鉄塔部材Ｔ１に取り付ける。このとき、第１のロープ２と第２のロープ４とがゆるんだ状態になるように、位置調節器６の固定位置を調整しておく。
【００２４】
この状態で、位置調節器６の操作部６２を握りながら、第１のロープ２のストッパー２１側を引っ張る。これにより、位置調節器６が、第１のロープ２に沿って架線梯子側フック３１側（図２の矢印Ｙ２方向）に移動し、この移動に伴って、第１のロープ２（位置調節器６とストッパー２１との間の部分を除く）と第２のロープ４とが引っ張られていく（張力が与えられていく）。そして、位置調節器６の移動が不可能な時点、つまり、第１のロープ２と第２のロープ４とに十分な張力が与えられた時点で、操作部６２の握りを解除すると、位置調節器６が第１のロープ２に固定され、第１のロープ２と第２のロープ４とに与えられた張力が維持される。このようにして、張力が与えられた第１のロープ２と第２のロープ４とによって、架線梯子１００の自由端部１０１の揺れが抑制される。
【００２５】
次に、架線梯子１００を取り外す場合、つまり、架線梯子固定装置１による固定を解除する場合には、まず、位置調節器６の操作部６２を握りながら、位置調節器６を第１のロープ２に沿ってストッパー２１側（図２の矢印Ｙ３方向）に移動させる。これにより、第１のロープ２と第２のロープ４との張力が解除され、ロープ２、４がゆるんでいく。そして、ロープ２、４がある程度緩んだ状態で、上記のようにして、鉄塔保持部５を鉄塔部材Ｔ１から取り外し、架線梯子側フック３１を架線梯子１００のＤ環１０２から取り外すものである。
【００２６】
以上のように、この架線梯子固定装置１および架線梯子固定方法によれば、第１のロープ２のストッパー２１側を引っ張って位置調節器６を移動させるだけで、第１のロープ２と第２のロープ４とに張力を与えることができる。つまり、作業者の熟練度などによらず、容易にかつ適正に、架線梯子１００の揺れを防止し、安定させることができる。しかも、ロープ２、４が長尺であっても、第１のロープ２のストッパー２１側を引っ張るだけであるため、作業性が悪化することがない。
【００２７】
また、第１のロープ２および第２のロープ４を結ぶ必要がないため、作業が容易であるとともに、架線梯子１００の安定性を高めることができる。しかも、架線梯子側フック３１および鉄塔保持部５は、それぞれ架線梯子１００のＤ環１０２および鉄塔部材Ｔ１に対して着脱自在なため、頻繁に架線梯子１００の位置や方向を変えるような場合であっても、作業を容易かつ迅速に行うことができる。なお、架線梯子１００を水平方向に取り付ける場合について説明したが、架線梯子１００を垂直方向に取り付ける場合であっても、架線梯子固定装置１で固定することができる。
【００２８】
（実施の形態２）
図３は、この実施の形態に係る架線梯子固定装置１０を示す正面図である。この実施の形態では、架線梯子保持部３が、架線梯子側フック３１と、第３のロープ３２と、接続リング３３で構成されている点で、実施の形態１の架線梯子固定装置１と構成が異なる。なお、実施の形態１と同等の構成については、同一符号を付することで、その説明を省略する。
【００２９】
第３のロープ３２は、ロープ２、４と同様に、素線をよって形成された変形自在なロープであり、一端部（自由端部）に架線梯子側フック３１が取り付けられている。また、第３のロープ３２の他端部が、環状の接続リング３３を介して、第１のロープ２の一端部側に接続されている。
【００３０】
そして、第３のロープ３２を架線梯子１００の部材（踏み板や側板）に対向させた状態で、矢印Ｙ４に示すように、第３のロープ３２の架線梯子側フック３１側をＵ字状に曲げる。そして、第３のロープ３２で架線梯子１００の部材を巻き込み、架線梯子側フック３１を接続リング３３に掛けることで、架線梯子保持部３が架線梯子１００の自由端部１０１側に取り付けられる。このように、この実施の形態によれば、架線梯子１００にＤ環１０２が備わっていない場合であっても、架線梯子固定装置１０で架線梯子１００を固定することができるものである。
【００３１】
以上、この発明の実施の形態について説明したが、具体的な構成は、これらの実施の形態に限られるものではなく、この発明の要旨を逸脱しない範囲の設計の変更等があっても、この発明に含まれる。例えば、ロープ２、４、３２は、ケーブル、チェーン、ベルトなど、伸縮しない長尺材でもよく、また、複数本を連結して長尺体を形成したものであってもよい。また、鉄塔側フック５１を、鉄塔部材Ｔ１の外周よりも大きい内周を有するものとし、鉄塔側フック５１を直接鉄塔部材Ｔ１に掛ける（取り付ける）ようにしてもよい。つまり、鉄塔側フック５１のみで鉄塔保持部を構成してもよい。さらに、架線梯子保持部３と鉄塔保持部５をロープ状部材で構成し、このロープ状部材を架線梯子１００や鉄塔部材Ｔ１に結び付けるようにしてもよい。また、８字環５２を設けずに、鉄塔側フック５１を第２のロープ４に直接掛けるようにしてもよい。
【符号の説明】
【００３２】
１              架線梯子固定装置
２              第１のロープ
３              架線梯子保持部
４              第２のロープ
５              鉄塔保持部
６              位置調節器
３１            架線梯子側フック
３２            第３のロープ
３３            接続リング
５１            鉄塔側フック
５２            ８字環
５３            保持ロープ部
Ｔ１            鉄塔部材
１００          架線梯子
１０１          自由端部
１０２          Ｄ環
１１０          送電線
【図１】
2011109780.tif 000003
【図２】
2011109780.tif 000004
【図３】
2011109780.tif 000005